(57)【要約】【課題】「エア無しブロー運転」を開始する際に、音の発生原因となる空気配管内における「空気溜まり」を排除する噴流浴システムを提供する。【解決手段】浴槽と、ポンプと、導水配管部と、ノズルと、ブロー配管部と、ブロー配管部またはノズルへのエア供給とエア非供給とを切り替え可能な開閉弁と、開閉弁の上流側に接続され、大気中のエアを開閉弁に導く第１のエア配管部と、開閉弁の下流側と、ブロー配管部またはノズルと、が接続部により接続され、大気中のエアを開閉弁を介してブロー配管部またはノズルに導く、第２のエア配管部と、ポンプを制御する制御部と、を備え、制御部は、開閉弁を閉じた状態で、ポンプを駆動させるエア無しブロー運転を開始する際に、ポンプを定格運転で駆動させる前に、定格運転時の回転数より高い回転数で駆動させるを備えたことを特徴とする噴流浴システムが提供される。【選択図】図１
2010082389.tif 000002
【特許請求の範囲】
【請求項１】
浴槽水を貯留すると共に、前記浴槽水を吸い込む吸込口を有する浴槽と、
前記吸込口から浴槽水を吸入し加圧して吐出するポンプと、
前記吸込口から吸入した浴槽水を前記ポンプに導く導水配管部と、
前記ポンプから吐出された浴槽水を前記浴槽の内部に噴出可能なノズルと、
前記ポンプから吐出された浴槽水を前記ノズルに導くブロー配管部と、
前記ブロー配管部または前記ノズルへのエア供給とエア非供給とを切り替え可能な開閉弁と、
前記開閉弁の上流側に接続され、大気中のエアを前記開閉弁に導く第１のエア配管部と、
前記開閉弁の下流側と、前記ブロー配管部または前記ノズルと、が接続部により接続され、大気中のエアを前記開閉弁を介して前記ブロー配管部または前記ノズルに導く、第２のエア配管部と、
前記ポンプを制御する制御部と、
を備え、
前記制御部は、前記開閉弁を閉じた状態で、エア無しブロー運転を開始する際に、前記ポンプを定格運転で駆動させる前に、前記定格運転時の回転数より高い回転数で駆動させる
ことを特徴とする噴流浴システム。
【請求項２】
前記第１のエア配管部よりも、前記第２のエア配管部の経路が短くなるように、前記開閉弁が配設される
ことを特徴とする噴流浴システム。
【請求項３】
浴槽水を貯留すると共に、前記浴槽水を吸い込む吸込口を有する浴槽と、
前記吸込口から浴槽水を吸入し加圧して吐出するポンプと、
前記吸込口から吸入した浴槽水を前記ポンプに導く導水配管部と、
前記ポンプから吐出された浴槽水を前記浴槽の内部に噴出可能なノズルと、
前記ポンプから吐出された浴槽水を前記ノズルに導くブロー配管部と、
前記ブロー配管部または前記ノズルへのエア供給とエア非供給とを切り替え可能な開閉弁と、
前記開閉弁よりも下流側に設けられ、前記ノズルまたは前記ブロー配管部側から前記開閉弁側への前記浴槽水の侵入を防止する逆止弁と、
前記逆止弁の上流側に接続され、大気中のエアを前記開閉弁に導く第３のエア配管部と、
前記逆止弁の下流側と、前記ブロー配管部または前記ノズルと、が接続部により接続され、大気中のエアを前記逆止弁を介して前記ブロー配管部または前記ノズルに導く、第４のエア配管部と、
前記ポンプを制御する制御部と、
を備え、
前記制御部は、開閉弁を閉じた状態で、エア無しブロー運転を開始する際に、前記ポンプを定格運転で駆動させる前に、前記定格運転時の回転数より高い回転数で駆動させる
ことを特徴とする噴流浴システム。
【請求項４】
前記第３のエア配管部の経路よりも、前記第４のエア配管部の経路が短くなるように前記逆止弁が配設される
ことを特徴とする噴流浴システム。
【発明の詳細な説明】
【技術分野】
【０００１】
本発明は、浴槽内に気泡入り噴流を噴出させる構成を有する噴流浴システムに関する。
【背景技術】
【０００２】
浴槽水を循環させるなどして、この浴槽水に気泡を混入させた噴流を浴槽内の使用者の人体表面に当て、マッサージ効果等を与える浴槽気泡噴出装置がある（例えば、特許文献１および２）。このような装置は、一般的に空気を供給する空気配管を備え、空気を浴槽水に混入させて噴流を噴出する運転（説明の便宜上、「エア有りブロー運転」と称する）と、空気を浴槽水に混入させずに噴流を噴出する運転（説明の便宜上、「エア無しブロー運転」と称する）と、を選択できる場合がある。
【０００３】
この場合、「エア有りブロー運転」の際には空気を浴槽水に混入させるため、例えば「ゴォー」や「ブォー」などといった、いわゆる空気を「ちぎる音」が空気配管から発生する。そのため、「エア有りブロー運転」の運転中には、ある程度の音が発生する。これに対して、「エア無しブロー運転」の際には、浴槽水を循環させるだけであるため、その運転中にはあまり音は発生せず比較的静かである。
【０００４】
しかしながら、「エア無しブロー運転」の際にも関わらず、例えば「ジュルジュル」などといった不快感を与える音が発生する場合があることが判明した。その原因を調べた結果、空気配管の途中に設けられた開閉弁や逆止弁などの下流側の空気配管内に生じた「空気溜まり」から、浴槽水に少しずつ空気が混入しているためであることが分かった。つまり、ノズルの噴出口近傍が負圧になることで生ずるエジェクター効果によって、この「空気溜まり」の空気が浴槽水配管の水流に引かれて少しずつ浴槽水配管へ混入し、「ジュルジュル」などといった不快感を与える音が長い時間発生する場合があることが分かった。
【特許文献１】特開２００５−２３００４１号公報
【特許文献２】特開２００７−７５１９７号公報
【発明の開示】
【発明が解決しようとする課題】
【０００５】
本発明の態様は、かかる課題の認識に基づいてなされたものであり、「エア無しブロー運転」を開始する際に、音の発生原因となる空気配管内における「空気溜まり」を排除する噴流浴システムを提供する。
【課題を解決するための手段】
【０００６】
本発明の一態様によれば、浴槽水を貯留すると共に、前記浴槽水を吸い込む吸込口を有する浴槽と、前記吸込口から浴槽水を吸入し加圧して吐出するポンプと、前記吸込口から吸入した浴槽水を前記ポンプに導く導水配管部と、前記ポンプから吐出された浴槽水を前記浴槽の内部に噴出可能なノズルと、前記ポンプから吐出された浴槽水を前記ノズルに導くブロー配管部と、前記ブロー配管部または前記ノズルへのエア供給とエア非供給とを切り替え可能な開閉弁と、前記開閉弁の上流側に接続され、大気中のエアを前記開閉弁に導く第１のエア配管部と、前記開閉弁の下流側と、前記ブロー配管部または前記ノズルと、が接続部により接続され、大気中のエアを前記開閉弁を介して前記ブロー配管部または前記ノズルに導く、第２のエア配管部と、前記ポンプを制御する制御部と、を備え、前記制御部は、前記開閉弁を閉じた状態で、エア無しブロー運転を開始する際に、前記ポンプを定格運転で駆動させる前に、前記定格運転時の回転数より高い回転数で駆動させることを特徴とする噴流浴システムが提供される。
【０００７】
また、本発明の他の一態様によれば、浴槽水を貯留すると共に、前記浴槽水を吸い込む吸込口を有する浴槽と、前記吸込口から浴槽水を吸入し加圧して吐出するポンプと、前記吸込口から吸入した浴槽水を前記ポンプに導く導水配管部と、前記ポンプから吐出された浴槽水を前記浴槽の内部に噴出可能なノズルと、前記ポンプから吐出された浴槽水を前記ノズルに導くブロー配管部と、前記ブロー配管部または前記ノズルへのエア供給とエア非供給とを切り替え可能な開閉弁と、前記開閉弁よりも下流側に設けられ、前記ノズルまたは前記ブロー配管部側から前記開閉弁側への前記浴槽水の侵入を防止する逆止弁と、前記逆止弁の上流側に接続され、大気中のエアを前記開閉弁に導く第３のエア配管部と、前記逆止弁の下流側と、前記ブロー配管部または前記ノズルと、が接続部により接続され、大気中のエアを前記逆止弁を介して前記ブロー配管部または前記ノズルに導く、第４のエア配管部と、前記ポンプを制御する制御部と、を備え、前記制御部は、開閉弁を閉じた状態で、エア無しブロー運転を開始する際に、前記ポンプを定格運転で駆動させる前に、前記定格運転時の回転数より高い回転数で駆動させることを特徴とする噴流浴システムが提供される。
【発明の効果】
【０００８】
本発明の態様によれば、「エア無しブロー運転」を開始する際に、音の発生原因となる空気配管内における「空気溜まり」を排除する噴流浴システムが提供される。
【発明を実施するための最良の形態】
【０００９】
第１の発明は、浴槽水を貯留すると共に、前記浴槽水を吸い込む吸込口を有する浴槽と、前記吸込口から浴槽水を吸入し加圧して吐出するポンプと、前記吸込口から吸入した浴槽水を前記ポンプに導く導水配管部と、前記ポンプから吐出された浴槽水を前記浴槽の内部に噴出可能なノズルと、前記ポンプから吐出された浴槽水を前記ノズルに導くブロー配管部と、前記ブロー配管部または前記ノズルへのエア供給とエア非供給とを切り替え可能な開閉弁と、前記開閉弁の上流側に接続され、大気中のエアを前記開閉弁に導く第１のエア配管部と、前記開閉弁の下流側と、前記ブロー配管部または前記ノズルと、が接続部により接続され、大気中のエアを前記開閉弁を介して前記ブロー配管部または前記ノズルに導く、第２のエア配管部と、前記ポンプを制御する制御部と、を備え、前記制御部は、前記開閉弁を閉じた状態で、エア無しブロー運転を開始する際に、前記ポンプを定格運転で駆動させる前に、前記定格運転時の回転数より高い回転数で駆動させることを特徴とする噴流浴システムである。
この噴流浴システムによれば、制御部が開閉弁を閉じた状態で、ポンプを駆動させる「エア無しブロー運転」を開始する際に、定格運転時の回転数より高い回転数で駆動させ、その後にポンプを定格運転で駆動させている。そのため、「エア無しブロー運転」を開始する際に、音の発生原因となる空気配管内における「空気溜まり」をブロー配管部に一気に排除するすることができる。従って、「ジュルジュル」などといった不快感を与える音が長い時間発生しない。
【００１０】
また、第２の発明は、第１の発明において、前記第１のエア配管部よりも、前記第２のエア配管部の経路が短くなるように、前記開閉弁が配設されることを特徴とする噴流浴システムである。
この噴流浴システムによれば、開閉弁よりも下流側の配管部、すなわち第２のエア配管部の長さを短く設定できるため、第２のエア配管部内における残留空気の量をより抑制することができる。
【００１１】
また、第３の発明は、浴槽水を貯留すると共に、前記浴槽水を吸い込む吸込口を有する浴槽と、前記吸込口から浴槽水を吸入し加圧して吐出するポンプと、前記吸込口から吸入した浴槽水を前記ポンプに導く導水配管部と、前記ポンプから吐出された浴槽水を前記浴槽の内部に噴出可能なノズルと、前記ポンプから吐出された浴槽水を前記ノズルに導くブロー配管部と、前記ブロー配管部または前記ノズルへのエア供給とエア非供給とを切り替え可能な開閉弁と、前記開閉弁よりも下流側に設けられ、前記ノズルまたは前記ブロー配管部側から前記開閉弁側への前記浴槽水の侵入を防止する逆止弁と、前記逆止弁の上流側に接続され、大気中のエアを前記開閉弁に導く第３のエア配管部と、前記逆止弁の下流側と、前記ブロー配管部または前記ノズルと、が接続部により接続され、大気中のエアを前記逆止弁を介して前記ブロー配管部または前記ノズルに導く、第４のエア配管部と、前記ポンプを制御する制御部と、を備え、前記制御部は、開閉弁を閉じた状態で、エア無しブロー運転を開始する際に、前記ポンプを定格運転で駆動させる前に、前記定格運転時の回転数より高い回転数で駆動させることを特徴とする噴流浴システムである。  
この噴流浴システムによれば、制御部が開閉弁を閉じた状態で、ポンプを駆動させる「エア無しブロー運転」を開始する際に、定格運転時の回転数より高い回転数で駆動させ、その後にポンプを定格運転で駆動させている。そのため、「エア無しブロー運転」を開始する際に、音の発生原因となる空気配管内における「空気溜まり」をブロー配管部に一気に排除するすることができる。従って、「ジュルジュル」などといった不快感を与える音が長い時間与える音が長い時間発生しない。
【００１２】
また、第４の発明は、第３の発明において、前記第３のエア配管部の経路よりも、前記第４のエア配管部の経路が短くなるように前記逆止弁が配設されることを特徴とする噴流浴システムである。
この噴流浴システムによれば、逆止弁よりも下流側の配管部、すなわち第４のエア配管部の長さを短く設定できるため、第４のエア配管部内における残留空気の量をより抑制することができる。
【００１３】
以下、本発明の実施の形態について図面を参照しつつ説明する。なお、各図面中、同様の構成要素には同一の符号を付して詳細な説明は適宜省略する。  
図１は、本発明の第１の実施の形態にかかる噴流浴システムの構成を表す概略図である。  
また、図２は、本実施形態にかかる噴流浴システムを平面方向から見た模式図である。  また、図３は、本実施形態にかかる噴流浴システムを側面方向から見た模式図である。
【００１４】
本実施形態に係る噴流浴システムは、主として、浴槽１と、浴槽１内の浴槽水を吸入しノズル１２、１６から再び浴槽水中に噴出させるための噴流噴出部と、ノズル１２、１６から噴出される噴流に気泡を混入可能にするエア供給部と、を備える。
【００１５】
まず、噴流噴出部について、図面を参照しつつ説明する。
浴槽１は、浴槽水を貯留すると共に、貯留された浴槽水を吸い込むための吸込口５を有する。なお、本願明細書において「水」という場合には、冷水のみならず、加熱されたお湯も含むものとする。吸込口５は浴槽１における長辺側浴槽壁に形成され、吸込口５は導水配管部６を介してポンプ７の吸入口に接続されている。ポンプ７が駆動されると、浴槽１内に貯留された浴槽水は吸込口５から導水配管部６へと吸い込まれる。
【００１６】
対向する一対の長辺側浴槽壁と、対向する一対の短辺側浴槽壁と、を有する通常の浴槽を考えた場合、一般に、入浴者は、一対の短辺側浴槽壁の一方に背をもたれかけて他方の短辺側浴槽壁に足を向けた姿勢で入浴するため、吸込口５を短辺側浴槽壁に形成した場合には、入浴者の背中や足裏で吸込口５がふさがれポンプ７に過剰の負荷がかかることが懸念される。したがって、吸込口５は、入浴者の身体の一部等によってふさがれにくい長辺側浴槽壁に形成するのが望ましい。
【００１７】
ポンプ７の吐出口には吐出管路部８が接続され、その吐出管路部８には、本実施形態における切替弁としての三方弁９を介して２系統の噴流供給系統が接続されている。これら２系統の噴流供給系統は吐出管路部８に対して２つに分岐して設けられ、各系統は他の系統とはつながっておらずそれぞれ独立して噴流噴出動作を行うことができる。
【００１８】
第１の噴流供給系統は、三方弁９を介して吐出管路部８に接続された第１のブロー配管部１１と、ポンプ７から吐出されて吐出管路部８及び第１のブロー配管部１１に導かれた加圧浴槽水を浴槽１の内部に噴出可能な第１のノズル１２と、を有する。第１のブロー配管部１１は、その下流側が２つに分岐しており、その分岐先にそれぞれ第１のノズル１２が接続されている。
【００１９】
第２の噴流供給系統は、三方弁９を介して吐出管路部８に接続された第２のブロー配管部１５と、ポンプ７から吐出されて吐出管路部８及び第２のブロー配管部１５に導かれた加圧浴槽水を浴槽１の内部に噴出可能な第２のノズル１６と、を有する。第２のブロー配管部１５は、その下流側が２つに分岐しており、その分岐先にそれぞれ第２のノズル１６が接続されている。
【００２０】
なお、各系統が有するノズルは１つでもよく、その場合各ブロー配管部１１、１５は先を分岐させる必要はない。あるいは、各系統は３つ以上のノズルをそれぞれ有していてもよい。本実施形態では、例えば２つの第１のノズル１２が一方の短辺側浴槽壁２ａに取り付けられ、その短辺側浴槽壁２ａに対向する他方の短辺側浴槽壁２ｂには例えば２つの第２のノズル１６が取り付けられている。
【００２１】
ポンプ７および三方弁９は、使用者による操作部２２の操作を受けて、制御部２１からの信号に基づいて制御される。使用者の操作による制御信号に基づいて第１のノズル１２から噴流を噴出させるときには、三方弁９は、ポンプ７の吐出口に接続された吐出管路部８と、第１のノズル１２に接続された第１のブロー配管部１１と、を連通させ、第２のノズル１６に接続された第２のブロー配管部１５と、吐出管路部８と、を遮断する「第１の位置」に切り替わる。そして、吸込口５から吸い込まれポンプ７により加圧された加圧浴槽水は、第１のブロー配管部１１を導かれて、第１のノズル１２から浴槽水中に噴出される。
【００２２】
一方、使用者の操作による制御信号に基づいて第２のノズル１６から噴流を噴出させるときには、三方弁９は、吐出管路部８と、第２のノズル１６に接続された第２のブロー配管部１５と、を連通させ、第１のノズル１２に接続された第１のブロー配管部１１と、吐出管路部８と、を遮断する「第２の位置」に切り替わる。そして、吸込口５から吸い込まれポンプ７により加圧された加圧浴槽水は、第２のブロー配管部１５を導かれて、第２のノズル１６から浴槽水中に噴出される。
【００２３】
すなわち、ポンプ７の駆動時、第１のノズル１２を有する第１の噴流供給系統と、第２のノズル１６を有する第２の噴流供給系統と、は同時にはポンプ７の吐出側に連通せず、いずれか１つの系統のみがポンプ７の吐出側に連通して、第１のノズル１２と第２のノズル１６とのいずれか一方のみから噴流が噴出される。
【００２４】
次に、エア供給部について、図面を参照しつつ説明する。  
浴槽１の内槽の上縁部の周囲に設けられた浴槽リム３において、吸込口５が形成された長辺側浴槽壁と、第１のノズル１２が設けられた短辺側浴槽壁２ａと、の角部近傍にエア取り込み口４１が形成されている。
【００２５】
エア取り込み口４１には第１のエア配管部３２が接続され、その第１のエア配管部３２にはエア流路を開閉する開閉弁３１を介して、第２のエア配管部３５が接続されている。また、第１のエア配管部３２は、エア取り込み口４１を介して大気に連通している。第２のエア配管部３５は下流側において２つに分岐され、２つの第２のブロー配管部１５のそれぞれに接続されている。なお、第２のエア配管部３５は、２つの第２のノズル１６のそれぞれに接続されていてもよい。また、開閉弁３１は、例えば電磁弁などの電気的駆動式の開閉弁であってもよいし、手動的駆動式の開閉弁であってもよい。
【００２６】
上記の第２のエア配管部３５には「空気溜まり」に生じるおそれがある。また、この「空気溜まり」の空気が浴槽水配管の水流に引かれて少しずつ浴槽水配管へ混入し、「ジュルジュル」などといった不快感を与える音が長い時間発生する場合がある場合がある。
【００２７】
開閉弁３１は、使用者による操作部２２の操作を受けて、制御部２１からの信号に基づいて制御される。そして、その制御信号に基づいて開閉弁３１を開くことで、浴槽リム３に設けたエア取り込み口４１と、第１のエア配管部３２と、第２のエア配管部３５と、を介して第２のブロー配管部１５または第２のノズル１６内に大気中のエアを混入させ、気泡入り噴流を噴出させることができる。これによれば、第２のノズル１６が取り付けられた短辺側浴槽壁２ｂに体の前面側を向け、反対側の短辺側浴槽壁２ａに背をもたれかけた入浴者に対して流量の多いパワフルな噴流が噴出され、入浴者の例えば下肢などを局所的に刺激できる。
【００２８】
一方、使用者の操作による制御信号に基づいて、開閉弁３１を閉じることもできる。その結果、第２のブロー配管部１５または第２のノズル１６内へのエアの供給は遮断され、第２のノズル１６からは気泡なしの噴流が噴出される。これによれば、第２のノズル１６が取り付けられた短辺側浴槽壁２ｂに体の前面側を向け、反対側の短辺側浴槽壁２ａに背をもたれかけた入浴者は、水の流れでやさしく体を包まれる感じを体感でき、心をリラックスできる。
【００２９】
エア取り込み口４１には第３のエア配管部３７がさらに接続され、その第３のエア配管部の一端（下流端）は吸込口５に接続されている。また、第３のエア配管部３７は、エア取り込み口４１を介して大気に連通している。例えば、吸込口５が入浴者の体の一部や髪の毛などによって閉塞され、吸込口５の内部の負圧が高まると、エジェクター効果によりその内部にエア取り込み口４１および第３のエア配管部３７を介してエアが取り込まれる。その結果、ポンプ７はそのエアを吸い込むことで能力が低下または停止する。これにより、浴槽水が吸い込まれない状況でのポンプ７の無駄な駆動を回避でき、また、吸込口５における吸引力が弱まり、入浴者の体の一部や髪の毛などをその吸込口５から容易に離すことができる。
【００３０】
本発明の第１の実施の形態によれば、制御部が開閉弁３１を閉じた状態でポンプ７を駆動させる「エア無しブロー運転」を開始する際に、定格運転時の回転数より高い回転数で駆動させ、その後にポンプを定格運転で駆動させている。「定格運転」とは、使用者の操作による予め設定された制御信号に基づいて、吸込口５から吸い込まれた浴槽水をポンプ７により加圧させ、第２のノズル１６から噴流を噴出させる通常運転をいう。また、「ポンプ７を定格運転時の回転数より高い回転数で駆動させる」とは、通常運転の場合におけるポンプ７の回転数よりも高くすることである。そうすることによって、「エア無しブロー運転」を開始する際に、音の発生原因となる空気配管内における「空気溜まり」をブロー配管部１５に一気に排除するすることができる。従って、「ジュルジュル」などといった不快感を与える音が長い時間発生しない。
【００３１】
次に、本発明の第２の実施の形態について、図面を参照しつつ説明する。  
図４は、本発明の第２の実施の形態にかかる噴流浴システムの構成を表す概略図である。  
本実施形態にかかる噴流浴システムにおいて、第３のエア配管部３７はエア取り込み口４１から開閉弁３１を介して逆止弁４３までの配管をいい、第４のエア配管部３８は逆止弁４３から第２のブロー配管部１５までの配管をいう。これは、図１に表した噴流浴システムにおける第２のエア配管部３５の途中に、逆止弁４３が介在していると考えることもできる。逆止弁４３は、第２のノズル１６から第４のエア配管部３８を介して、上流側の第３のエア配管部３７へ湯水が侵入することを防止する。そのため、逆止弁４３よりも上流側の第３のエア配管部３７内には、垢などの汚れが付着堆積しにくい。その他の構成については、図１に関して前述した噴流浴システムの構成と同様である。
【００３２】
上記の第４のエア配管部３８には「空気溜まり」に生じるおそれがある。また、この「空気溜まり」の空気が浴槽水配管の水流に引かれて少しずつ浴槽水配管へ混入し、「ジュルジュル」などといった不快感を与える音が長い時間発生する場合がある場合がある。
【００３３】
本発明の第２の実施の形態によれば、制御部が開閉弁３１を閉じた状態でポンプ７を駆動させる「エア無しブロー運転」を開始する際に、定格運転時の回転数より高い回転数で駆動させ、その後にポンプを定格運転で駆動させている。「定格運転」とは、使用者の操作による予め設定された制御信号に基づいて、吸込口５から吸い込まれた浴槽水をポンプ７により加圧させ、第２のノズル１６から噴流を噴出させる通常運転をいう。また、「ポンプ７を定格運転時の回転数より高い回転数で駆動させる」とは、通常運転の場合におけるポンプ７の回転数よりも高くすることである。そうすることによって、「エア無しブロー運転」を開始する際に、音の発生原因となる空気配管内における「空気溜まり」をブロー配管部１５に一気に排除するすることができる。従って、「ジュルジュル」などといった不快感を与える音が長い時間発生しない。
【００３４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、噴流噴出部やエア供給部などが備える各要素の形状、寸法、材質、配置などやエア取り込み口やブロー配管部の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００３５】
【図１】本発明の第１の実施の形態にかかる噴流浴システムの構成を表す概略図である。
【図２】本実施形態にかかる噴流浴システムを平面方向から見た模式図である。
【図３】本実施形態にかかる噴流浴システムを側面方向から見た模式図である。
【図４】本発明の第２の実施の形態にかかる噴流浴システムの構成を表す概略図である。
【符号の説明】
【００３６】
１ 浴槽、  ２ａ 短辺側浴槽壁、  ２ｂ 短辺側浴槽壁、  ３ 浴槽リム、  ５ 吸込口、  ６ 導水配管部、  ７ ポンプ、  ８ 吐出管路部、  ９ 三方弁、  １１ 第１のブロー配管部、  １２ 第１のノズル、  １５ 第２のブロー配管部、  １６ 第２のノズル、  ２１ 制御部、  ２２ 操作部、  ３１ 開閉弁、  ３２ 第１のエア配管部、  ３５ 第２のエア配管部、  ３７ 第３のエア配管部、  ３８ 第４のエア配管部、  ４１ エア取り込み口、  ４３ 逆止弁
【図１】
2010082389.tif 000003
【図２】
2010082389.tif 000004
【図３】
2010082389.tif 000005
【図４】
2010082389.tif 000006